(57)【特許請求の範囲】
【請求項１】
過去の各レースにおいて的中した組の人気順位と払戻金とを過去の成績データとして蓄積すると共に蓄積された前記過去の成績データに基づいて利益率の期待値を算出して出力する過去成績サーバと、
前記過去成績サーバに対して利益率表示を要求すると共に投票条件を入力する入力端末と、
前記入力端末から入力された前記投票条件に基づいて投票を実行する投票サーバと、を備えるトータリゼータシステムであって、
前記過去成績サーバは、
前記過去の成績データをレース場名、グレード、天候と対応付けて蓄積し、
前記入力端末から利益率表示が要求されると、前記レース場名、グレード、天候に基づいて、蓄積された前記過去の成績のデータから複数レースについて同一の賭式及び投資組数を指定したときの利益率の期待値を算出して前記入力端末へ返信し、
前記入力端末は、受信した前記利益率の期待値を表示し、
前記入力端末から前記投票条件を入力すると、前記投票サーバは、投票条件に基づいて投票を実行することを特徴とするトータリゼータシステム。
【請求項２】
前記入力端末は、受信した前記利益率の期待値を高い順番に、各順番における利益率、賭式及び投資組数を表示し、
前記入力端末から前記投票条件として、表示された利益率の順番を指定できることを特徴とする請求項１に記載のトータリゼータシステム。
【請求項３】
過去の各レースにおいて的中した組の人気順位と払戻金とを過去の成績データとして蓄積すると共に蓄積された前記過去の成績データに基づいて利益率の期待値を算出して出力する過去成績サーバと、前記過去成績サーバに対して利益率表示を要求すると共にファンが希望する投票条件を入力する入力端末と、前記入力端末から入力された前記投票条件に基づいて投票を実行する投票サーバと、により構成されるトータリゼータシステムにおける利益率算出方法であって、
前記過去成績サーバがレース場名、グレード、天候と対応付けて過去の成績データを蓄積するステップと、
前記入力端末が過去成績サーバに対して利益率表示を要求するステップと、
前記過去成績サーバが前記レース場名、グレード、天候と対応付けて蓄積している前記過去の成績データに基づいて、複数レースについて同一の賭式及び投資組数を指定したときの利益率の期待値を算出するステップと、
を有することを特徴とするトータリゼータシステムにおける利益率算出方法。
【請求項４】
過去の各レースにおいて的中した組の人気順位と払戻金とを過去の成績データとして蓄積すると共に蓄積された前記過去の成績データに基づいて利益率の期待値を算出して出力する過去成績サーバと、前記過去成績サーバに対して利益率表示を要求すると共にファンが希望する投票条件を入力する入力端末と、前記入力端末から入力された前記投票条件に基づいて投票を実行する投票サーバと、により構成されるトータリゼータシステムにおける利益率表示方法であって、
前記過去成績サーバが過去の成績データをレース場名、グレード、天候と対応付けて蓄積するステップと、
前記入力端末が過去成績サーバに対して前記レース場名、グレード、天候を入力して利益率表示を要求するステップと、
前記過去成績サーバが前記レース場名、グレード、天候と対応付けて蓄積されている前記過去の成績データに基づいて、複数レースについて同一の賭式及び投資組数を選択したときの利益率の期待値を算出して前記入力端末へ出力するステップと、
前記入力端末が入力した前記レース場名、グレード、天候に対応した前記利益率の期待値を表示するステップと、
を有することを特徴とするトータリゼータシステムにおける利益率表示方法。
【請求項５】
過去の各レースにおいて的中した組の人気順位と払戻金とを過去の成績データとして蓄積すると共に蓄積された前記過去の成績データに基づいて利益率の期待値を算出して出力する過去成績サーバと、前記過去成績サーバに対して利益率表示を要求すると共にファンが希望する投票条件を入力する入力端末と、前記入力端末から入力された前記投票条件に基づいて投票を実行する投票サーバと、により構成されるトータリゼータシステムにおける投票方法であって、
前記過去成績サーバがレース場名、グレード、天候に対応付けて前記過去の成績データを蓄積するステップと、
前記入力端末が過去成績サーバに対し、前記レース場名、グレード、天候を入力して利益率表示を要求するステップと、
前記過去成績サーバが前記レース場名、グレード、天候に対応付けて蓄積している前記過去の成績データに基づいて、複数レースについて同一の賭式及び投資組数を指定したときの利益率の期待値を算出して前記入力端末へ出力するステップと、
前記入力端末が入力した前記レース場名、グレード、天候に対応した前記利益率の期待値を表示するステップと、
前記入力端末から投票条件を入力すると、前記投票サーバが前記投票条件に基づいて投票を実行するステップと、
を有することを特徴とするトータリゼータシステムにおける投票方法。
【請求項６】
前記入力端末は、受信した前記利益率の期待値を高い順番に、各順番における利益率、賭式及び投資組数を表示し、
前記入力端末から前記投票条件として、表示された利益率の順番を指定できることを特徴とする請求項５に記載のトータリゼータシステムにおける投票方法。
【発明の詳細な説明】
【技術分野】
【０００１】
本発明は、トータリゼータシステム、トータリゼータシステムにおける利益率算出方法、利益率表示方法及び投票方法に関する。
【背景技術】
【０００２】
従来、トータリゼータシステムにおけるファンへ提供される投票に関する情報として、人気順オッズ情報があり、予備知識がないファンは、この人気順オッズ情報に基づいて人気順が高い組番に投票する傾向がある。
【０００３】
トータリゼータシステムにおいて、投票に関する情報をファンに提供することが記載された文献として、例えば、下記特許文献１及び２がある。
【０００４】
特許文献１には、所望の回収率の配当金が得られるように馬券を効率よく設定するため、時系列オッズを含んだ競馬関連情報を蓄積し、設定される三つの投資条件の演算を繰り返すことにより馬券を選定することが提案されている。又、特許文献２には、任意のグループ内で投票及びその結果に関する情報を容易に共有することができるように表示するシステムが提案されている。
【先行技術文献】
【特許文献】
【０００５】
【特許文献１】特開２０１０−１４６５３１号公報
【特許文献２】特開２０１４−８１７７１号公報
【発明の概要】
【発明が解決しようとする課題】
【０００６】
１９９０年代の高度成長時代には、競馬ファンの平均年齢は、４３．２歳であり、独自の予想で大穴を当てたいといった夢を抱いていた競馬ファンが多かった。これに対し、２０１５年現在の超高齢化時代の競馬ファンの平均年齢は、５４．５歳であり、一日を通してレースを楽しみ飲食代程度がもうかればよいといったささやかな夢を抱くファンの比率が増えている。このように、時代の流れに伴い、競馬ファンの抱く夢が変化している。
【０００７】
しかし、従来のトータリゼータシステム、特許文献１及び２で提案されているシステムでは、こうしたささやかな夢を抱く競馬ファンに対応した情報提供が行われていない。
【０００８】
そこで、本発明は、少しの儲けでも一日を通してレースを楽しみたいと考えるファンに有用な投票に関する新たな情報を提供するトータリゼータシステム、トータリゼータシステムにおける利益率算出方法、利益率表示方法及び投票方法を提供することを目的とする。
【課題を解決するための手段】
【０００９】
本発明の第１の側面におけるトータリゼータシステムは、過去の各レースにおいて的中した組の人気順位と払戻金とを過去の成績データとして蓄積すると共に蓄積された前記過去の成績データに基づいて利益率の期待値を算出して出力する過去成績サーバと、前記過去成績サーバに対して利益率表示を要求すると共に投票条件を入力する入力端末と、前記入力端末から入力された前記投票条件に基づいて投票を実行する投票サーバと、を備えるトータリゼータシステムであって、前記過去成績サーバは、前記過去の成績データをレース場名、グレード、天候と対応付けて蓄積し、前記入力端末から利益率表示が要求されると、前記レース場名、グレード、天候に基づいて、蓄積された前記過去の成績のデータから複数レースについて同一の賭式及び投資組数を指定したときの利益率の期待値を算出して前記入力端末へ返信し、前記入力端末は、受信した前記利益率の期待値を表示し、前記入力端末から前記投票条件を入力すると、前記投票サーバは、投票条件に基づいて投票を実行することを特徴とする。
【００１０】
第２の側面におけるトータリゼータシステムにおける利益率算出方法は、上記第１の側面のトータリゼータシステムにおける利益率算出方法であって、前記過去成績サーバがレース場名、グレード、天候と対応付けて過去の成績データを蓄積するステップと、前記入力端末が過去成績サーバに対して利益率表示を要求するステップと、前記過去成績サーバが前記レース場名、グレード、天候と対応付けて蓄積している前記過去の成績データに基づいて、複数レースについて同一の賭式及び投資組数を指定したときの利益率の期待値を算出するステップと、を有することを特徴とする。
【００１１】
第３の側面におけるトータリゼータシステムにおける利益率表示方法は、上記第１の側面のトータリゼータシステムにおける利益率算出方法により算出した利益率の期待値を前記入力端末へ出力するステップと、前記入力端末が入力した前記レース場名、グレード、天候に対応した前記利益率の期待値を表示するステップと、を有することを特徴とする。
【００１２】
更に、第４の側面におけるトータリゼータシステムにおける投票方法は、上記第１の側面のトータリゼータシステムにおける利益率表示方法により前記入力端末に表示された利益率表示に基づいた投票条件が入力されると、前記投票サーバが前記投票条件に基づいて投票を実行するステップと、を有することを特徴とする。
【発明の効果】
【００１３】
本発明のトータリゼータシステムは、過去成績サーバは、過去の各レースにおいて的中した組の人気順位と払戻金とを過去の成績データとして、レース場名、天候、グレードと対応付けて蓄積し、入力端末からレース場名、グレード、天候を入力して利益率表示が要求されると、レース場名、グレード、天候と対応付けて蓄積されている過去の成績データに基づいて、複数レースについて同一の賭式及び投資組数を指定したときの利益率の期待値を算出して入力端末に利益率の期待値を表示する。これにより、少しの儲けでも一日を通してレースを楽しみたいと考えるファンに有用な投票に関する新たな情報を提供し得るトータリゼータシステム、トータリゼータシステムにおける投票条件の提示方法及びトータリゼータシステムにおける投票方法を提供することが可能になる。
【図面の簡単な説明】
【００１４】
【図１】本発明の実施形態のトータリゼータシステム全体のシステム構成例を示す図である。
【図２】図１中のモバイル端末における利益率条件入力画面の例を示す図である。
【図３】図１中のモバイル端末における利益率表示画面の例を示す図（その１）である。
【図４】図１中のモバイル端末における利益率表示画面の例を示す図（その２）である。
【図５】図１中のモバイル端末における利益率表示画面の例を示す図（その３）である。
【図６】図１中のモバイル端末における投票条件入力画面の例を示す図である。
【図７】従来のトータリゼータシステムの構成例及び人気順オッズの表示例を示す図である。
【図８】本発明の実施形態の利益率表示方法及び投票方法の処理を示すフローチャートである。
【図９】図８の処理に用いられる過去の成績（データ）の例を示す図である。
【図１０】図９のレース結果を基に、各レース１組〜４組投資の場合の利益率の表示例を示す図である。
【図１１】図９のレース結果を基に、各レース５組〜８組投資の場合の利益率の表示例を示す図である。
【図１２】図９のレース結果を基に、各レース９組及び１０組投資の場合の利益率の表示例を示す図である。
【図１３】利益率の高い順の賭式と投資組数の表示例及び投票入力条件画面の例を示す図である。
【発明を実施するための形態】
【００１５】
以下に本発明の実施形態について図面を参照しながら詳細に説明する。
（実施形態の構成）
図１は、本発明の実施形態のトータリゼータシステム全体の例を示すシステム構成図である。
【００１６】
本実施形態のトータリゼータシステムは、過去成績サーバ１０と、投票サーバ２０と、無線ルータ４０と、がネットワーク３０を介して接続されている。入力端末としてのモバイル端末５０は、無線ルータ４０を介して過去成績サーバ１０及び投票サーバ２０にアクセス可能に接続されている。
【００１７】
過去成績サーバ１０は、過去の各レースにおいて的中した組の人気順位と払戻金とを過去の成績データとして蓄積すると共に蓄積した過去の成績データに基づいて利益率の期待値を算出する機能を有し、過去の成績データをレース場名、グレード、天候と対応付けて蓄積する過去成績蓄積メモリ１１と、利益率表示条件に基づいて利益率を算出する利益率算出部１２と、無線ルータ４０を介してモバイル端末５０と通信を行う通信インターフェースとしての機能を有する過去成績サーバ通信部１３と、を有している。投票サーバ２０は、モバイル端末５０から投票の申し込みがされた場合に、投票を実行する機能を有している。
【００１８】
入力端末としてのモバイル端末５０は、レース場名、グレード、天候を利益率表示条件として入力し、過去成績サーバ１０に対して利益率表示を要求すると共にファンが希望する投票条件を入力する端末であり、無線ルータ４０と無線通信を行う無線インターフェース（無線Ｉ／Ｆ）部５１と、利益率表示条件や投票条件を入力する入力操作部５２と、利益率表示条件に基づいて過去成績サーバ１０が算出した利益率の期待値を表示する利益率表示部５３と、を備えている。尚、入力操作部５２と利益率表示部５３とは、表示タッチパネル等により一体的に構成しても良い。
【００１９】
図２は、図１中のモバイル端末における利益率条件入力画面の例を示す図である。
図２に示された利益率条件入力画面は、ファンが投票を希望するレース場名を選択する場名選択エリア５２ａと、レースの重要度を示すグレードを選択するグレード選択エリア５２ｂと、レース当日の天候を選択する天候選択エリア５２ｃと、おまかせ入力指定エリア５２ｄと、決定キー５２ｅと、戻るキー５２ｆと、を有している。
【００２０】
場名選択エリア５２ａの下向き三角部分をクリックすると、例えば、ＡＢＣレース場、ＸＹＺレース場等のモバイル端末５０から投票可能なレース場名が表示され、表示されたレース場名から例えば、ＡＢＣレース場が選択される。グレード選択エリア５２ｂの下向き三角部分をクリックすると、例えば、ＧＩ（重賞レース）、ＧII（ＧＩに次ぐ重要レース）、ＧIII（ＧＩ、ＧII以外の重要レース）等のグレードが表示され、表示されたグレードから例えば、ＧIIが選択される。天候選択エリア５２ｃの下向き三角部分をクリックすると、例えば、晴れ、曇り、小雨、雨、雪等の天候が表示され、表示された天候から例えば、晴れが選択される。
【００２１】
図２の利益率条件入力画面上のおまかせ入力指定エリア５２ｄにチェックを入力すると、レース当日と同じ場名、グレード及び天候が選択される。図２の利益率条件入力画面の決定キー５２ｅは、利益率条件入力画面において、利益率表示条件を決定する際に押下する操作キーであり、戻るキー５２ｆは、利益率表示条件を変更する際に押下する操作キーである。
【００２２】
図３〜図５は、図１中のモバイル端末における利益率表示画面の例を示す図（その１〜その３）である。
【００２３】
図３〜図５の賭式の欄に記載されている「２枠複」とは枠番で１着と２着の選手を投票する賭式であり、「２枠単」とは枠番で１着と２着の選手を着順通りに投票する賭式であり、「２車複」とは車番で１着と２着の選手を投票する賭式であり、「２車単」とは車番で１着と２着の選手を着順どおりに投票する賭式であり、「ワイド」とは１着から３着までの２選手を投票する賭式であり、「３連複」とは１着から３着までの選手を順不同で全て投票する賭式であり、更に、「３連単」とは１着から３着までの選手の順位も全て投票する賭式である。尚、「ワイド」は１着から３着までの２選手を投票する賭式のため、「１、２着」、「１、３着」、「２、３着」の３通りの的中が存在する。
【００２４】
又、投資組数とは、１レース当たり各賭式において人気の高い順に投票する組数をいい、例えば、当日行われる１レース〜１１レースまでの全レースに投資組数が１で投票する場合、１レース〜１１レースまでそれぞれ各賭式における１番人気の１組に投票することを示している。
【００２５】
図３は、図１中のモバイル端末５０における利益率表示画面の例を示す図（その１）であり、当日の確定レース無しの例が示されている。図３の上段には、利益率条件、例えば、レース場名：ＡＢＣレース場、グレード：ＧII、天候：晴れと合致する直近の２０１４年４月７日開催の過去レースの利益率が表示され、下段には、当日の確定レースが無いため、利益率は表示されていない。当日の確定レース無しの利益率表示画面を見たファンは、図３の上段に表示された直近の過去レース利益率を参考にして、賭式、及び投資組数等の投票条件を決定して投票の申し込みをすることになる。この時点における、上段に表示されている直近の過去レースの利益率は、ファンにとっての利益率の期待値となる。
【００２６】
図４は、図１中のモバイル端末５０における利益率表示画面の例を示す図（その２）であり、当日の確定レース１〜５レースの例が示されている。図４の上段には、図３の上段と同様に、利益率表示条件が合致する直近の２０１４年４月７日開催の過去レース利益率が表示され、下段には、当日の確定レース１〜５レースに対応する利益率の期待値が表示されている。当日の確定レース１〜５レースの利益率表示画面を見たファンは、図４上段に表示された直近の過去レース利益率と、図４下段に表示された当日の確定レース１〜５レースに対応する利益率の期待値の表示とを参考にして、６レース以降の賭式、及び投資組数等の投票条件を決定して投票の申し込みをすることになる。
【００２７】
更に、図５は、図１中のモバイル端末５０における利益率表示画面の例を示す図（その３）であり、当日の確定レース１〜１１レースの例が示されている。図５の上段には、図３の上段と同様に、利益率表示条件が合致する直近の２０１４年４月７日開催の過去レース利益率が表示され、下段には、当日の確定レース１〜１１レースに対応する利益率が表示されている。当日の確定レース１〜１１レースの利益率表示画面を見たファンは、図５上段に表示された直近の過去レース利益率と、図５下段に表示された当日の確定レース１〜１１レースの利益率の表示とを見比べて、当日の利益率の結果と直近の過去レース利益率の相関関係を確認することになる。
【００２８】
上段に表示された直近の過去レース利益率は、図２に示された利益率条件入力画面より入力された利益率表示条件（ＡＢＣレース場、グレードＧII、及び天候：晴れ）に基づいて図１中の利益率算出部１２が算出した利益率実績値が表示されている。
【００２９】
図３の上段に表示された直近の過去レース利益率を見ると、賭式３連単で投資組数１組の場合の２４９．５％と最も高い投資率を示していることから、ファンは、例えば、賭式３連単で投資組数１組の条件で投票の申し込みをする。
【００３０】
図１中の利益率算出部１２が、過去成績蓄積メモリ１１に記憶した過去の成績データに基づいて利益率の期待値がどのように算出されるかについては、後述する。
【００３１】
図６は、図１中のモバイル端末５０における投票条件入力画面の例を示す図である。
図６に示された投票条件入力画面は、ファンが投票を希望する賭式及び投資組数と、賭式と投資組数の組み合せに投資する口数を表すセット数を選択して投票を申し込む画面であり、希望する賭式を選択する賭式選択エリア５２ｇと、投資組数を入力する投資組数入力エリア５２ｈと、投資するセット数を入力するセット数入力エリア５２ｉと、投資金額表示部５２ｊと、決定キー５２ｅと、戻るキー５２ｆと、を有している。
【００３２】
賭式選択エリア５２ｇの下向き三角部分をクリックすると、例えば、２枠単、ワイド等のモバイル端末５０から選択可能な賭式が表示され、表示された賭式から例えば、２枠単が選択される。
【００３３】
図６の投票条件入力画面上の投資金額表示部５２ｊは、選択された賭式、入力された投資組数及びセット数の時の投資金額が表示される部位であり、図６中の投資金額表示部５２ｊには、１レース〜１１レースに対して投資組数２組を３セット投資した場合、投資金額は６６００円が表示されている。図６の投票条件入力画面上の決定キー５２ｅは、投票条件入力画面において、投票条件を決定する際に押下する操作キーであり、戻るキー５２ｆは、投票条件を変更する際に押下する操作キーである。
【００３４】
（実施形態の動作）
本発明の実施形態について、（Ｉ）従来のトータリゼータシステムの動作と、（II）本発明の実施形態のトータリゼータシステムの動作と、に分けて説明する。
【００３５】
（Ｉ）従来のトータリゼータシステムの動作
図７（ａ）は、従来のトータリゼータシステムの構成例を示す図であり、本発明の実施形態のトータリゼータシステムの構成例を示す図１と共通の要素には共通の符号が付されている。
【００３６】
図７（ａ）に示された従来のトータリゼータシステムは、投票サーバ２０と、無線ルータ４０と、がネットワーク３０を介して接続されている。本発明の実施形態のトータリゼータシステムと異なり、図１中の過去成績サーバ１０を有さない。更に、モバイル端末５０Ａは、図１中のモバイル端末５０が有する過去成績サーバ１０に対して利益率表示を要求し、過去成績サーバ１０が算出した利益率を表示し、利益率に基づいて投票の申し込みをする機能を有していない。
【００３７】
従来のトータリゼータシステムにおける人気順オッズの表示例を示す図７（ｂ）を見ると、１０レースの賭式毎の人気順にオッズが表示されている。ここで、オッズとは、投票した組が的中した場合の配当を賭け金に対する倍率で表した数値である。
【００３８】
従来、トータリゼータシステムにおける投票情報として、賭式毎の人気順オッズの表示が一般的であったため、ファンは、賭式とオッズ全体を見渡して、一番配当が高くなる賭式と組を各レース毎に選択して投票の申し込みをする必要があり、煩雑であった。
【００３９】
特に、オッズの値は、ファンが投票する組み合わせの人気により各レースの締切まで変動するため、人気順オッズの表示に基づいて投票条件を決定しようとすると、レースの締切間際に、投票することになる。ファンは、レースの締切間際に、自らの頭の中で利益率の期待値を算出して投票条件を決定しなければならず、レースをゆっくり楽しむことができない。
【００４０】
このような投票までの思考過程の煩雑さを避け、少しの儲けでも一日を通してレースを楽しみたいと考える増加傾向にあるファンに、有用な投票に関する新たな情報として利益率表示を提供する本発明の実施形態のトータリゼータシステムの動作について、以下に説明する。
【００４１】
（II）本発明の実施形態のトータリゼータシステムの動作
図８は、本発明の実施形態の利益率表示方法及び投票方法の処理を示すフローチャートである。
【００４２】
先ず、図１〜図６を参照しつつ、図８に示されたフローチャートに沿って、本発明の実施形態の利益率表示方法及び投票方法の処理の概略を説明する。
【００４３】
トータリゼータシステムの処理が開始されると、ステップＳ１へ進み、図１中の入力操作部５２から利益率表示条件が入力されると、モバイル端末５０は、利益率表示条件を図１中の過去成績サーバ１０へ通知し、ステップＳ２へ進む。ステップＳ２において、図１中の利益率算出部１２は、利益率表示条件のレース場名、グレード、及び天候と対応付けて過去成績蓄積メモリ１１に記憶された過去の成績データに基づいて、利益率の期待値を算出し、ステップＳ３へ進む。
【００４４】
ステップＳ３において、過去成績サーバ１０は、算出した利益率をモバイル端末５０へ通知する。そして、利益率を通知されたモバイル端末５０は、利益率表示部５３に利益率の表示された利益率表示画面を表示し、ステップＳ４へ進む。
【００４５】
ステップＳ４において、図１中の入力操作部５２から投票条件が入力され、投票の申し込みがされると、モバイル端末５０は、投票条件を図１中の投票サーバ２０へ通知し、ステップＳ５へ進む。
【００４６】
ステップＳ５において、投票サーバ２０は、各レースの投票締切時点で、モバイル端末５０から通知された投票条件に基づいて投票し、処理を終了する。
【００４７】
次に、図９〜図１２を参照しつつ、図１中の利益率算出部１２が、過去成績蓄積メモリ１１に記憶した過去の成績に基づいてどのように利益率の期待値を算出するのかについて説明する。
【００４８】
図９は、図８の処理に用いられる過去の成績データの例を示す図であり、図９に示された例は、一つの利益率表示条件に対応する過去の成績データを示し、図１中の過去成績蓄積メモリ１１には、レース場名、グレード及び天候に対応付けられた過去の成績データが蓄積されている。
【００４９】
図９において、項５〜７の３行に亘って賭式ワイドの欄が設けられているは、賭式のワイドには、「１、２着」、「１、３着」、「２、３着」の３通りの的中が存在するためである。例えば、項５のワイドは「１、２着」に対応し、６項のワイドは「１、３着」に対応し、７項のワイドは「２、３着」に対応している。
【００５０】
図１０〜図１２は、図９のレース結果を基に、各レース１組〜１０組投資の場合の利益率の表示例を示す図である。図１０〜図１２において、賭式のワイドの欄が１行であるのは、賭式のワイドで投票した場合の的中は、「１、２着」、「１、３着」、「２、３着」の３通りを含む１通りであるためである。
【００５１】
図１０（ａ）には、図９のレース結果を基に、１レースから１１レースまで１組（１００円）ずつ投資し、合計１１００円投資した場合の各賭式に対応した的中合計と利益率が表示されている。
【００５２】
賭式２枠複で投資組数１の場合は、図９の賭式２枠複の１レース〜１１レースの欄が参照される。図９の賭式２枠複の欄で、人気順位が１位で的中したレースは、１レース及び８レースであり、１レース及び８レースの払戻金は、それぞれ３５０円及び５３０円である。従って、１レース〜１１レースまで通して１番人気に投票した場合の的中合計は、払戻金３５０円と払戻金５３０円とを合計した８８０円となる。又、利益率は、利益率＝（的中合計／投資金額）×１００（％）であるので、（８８０÷１１００）×１００＝８０（％）となる。
【００５３】
図１０（ａ）で、賭式３連単の場合は、図９の賭式３連単の１レース〜１１レースの欄が参照され、図９の賭式３連単の欄で、人気順位が１〜３で的中したレースは、８レースのみであり、８レースの払戻金は、２８００円であるので的中合計は２８００円であり、利益率は、（２８００÷１１００）×１００＝２５４．５（％）となる。
【００５４】
次に、図１０（ｂ）は、図９のレース結果を基に、１レース〜１１レースに対し、各賭式における人気順位１位と２位の２組（２２００円）に投資した場合の利益率を示している。利益率表示条件として、賭式２車複、投資組数２組が入力された場合は、図９の賭式２車複の欄が参照される。投資組数が２であるので、人気順位が１位と２位で的中した１、６、７、及び８レースのそれぞれの払戻金３５０円、６１０円、６１０円、及び６２０円の合計が的中合計２１９０円となり、利益率は、（２１９０÷２２００円）×１００＝９９．５（％）となる（図１０（ｂ）の賭式２車複の欄を参照）。
【００５５】
以下、同様に、入力された投資率表示条件に対応した図９の賭式の欄が参照され、投資組数に応じた人気順位で的中した払戻金を合計することで、的中合計が算出され、（的中合計÷投資金額）×１００により、利益率が算出される。
【００５６】
最後に、本発明の実施形態の変形例について説明する。
ファンは、図６に示された投票条件入力画面から、投票条件を入力して投票の申し込みをする際に、図１０〜図１２に示された利益率の表示を見比べて、賭式、投資組数等を決定しなければならないので、煩雑である。
【００５７】
図１３（ａ）は、利益率の高い順の賭式と投資組数の表示例であり、図１３（ｂ）は、投票入力条件画面の例を示す図である。
【００５８】
図１３（ａ）の表示例によれば、利益率の期待値を高い順に、賭式、投資組数、及び投資金額が一目で判るので、図１０〜図１２に示された利益率の表示を見比べる必要がない。そして、図１３（ｂ）の投票入力条件画面によれば、ファンは、賭式、投資組数、及び投資金額を参照し、投票を希望する利益率の欄にチェックをすることにより、投票内容が表示されるように構成されている。その結果、ファンは、所望の利益率の期待値である賭式、投資組数等の投票条件の決定及び投票の申し込みが簡便に行える。
【００５９】
（実施形態の効果）
本発明の実施形態のトータリゼータシステム、トータリゼータシステムにおける利益率算出方法、利益率表示方法及び投票方法によれば、ファンが各レース毎に人気順オッズを見ながら利益率の期待値を頭の中で考える必要がなく、レース場名、グレード、天候を入力するのみで、過去の成績データに基づいて、賭式及び投資組数に応じた利益率の期待値を見ることができる。これにより、ファンは、各レース毎に人気順オッズを見ながら利益率の期待値を頭の中で考える煩雑さから開放され、少しの儲けでも一日を通してレースを楽しみたいと考えるファンに有用な投票に関する新たな情報を提供することができる。
【００６０】
本発明の実施形態の変形例のトータリゼータシステムにおける利益率表示方法及び投票方法によれば、ファンは、所望の利益率の期待値である賭式、投資組数等の投票条件の決定及び投票の申し込みを更に簡便に行うことができる。
【００６１】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００６２】
１０                                  過去成績サーバ
１１                                  過去成績蓄積メモリ
１２                                  利益率算出部
１３                                  過去成績サーバ通信部
２０                                  投票サーバ
３０                                  ネットワーク
４０                                  無線ルータ
５０，５０Ａ                          モバイル端末
５１                                  無線Ｉ／Ｆ
５２                                  入力操作部
５２ａ                                場名選択エリア
５２ｂ                                グレード選択エリア
５２ｃ                                天候選択エリア
５２ｄ                                おまかせ入力指定エリア
５２ｅ                                決定キー
５２ｆ                                戻るキー
５２ｇ                                賭式選択エリア
５２ｈ                                投資組数入力エリア
５２ｉ                                セット数入力エリア
５２ｊ                                投資金額表示部
５３                                  利益率表示部
【図１】
0006346134.tif 000002
【図２】
0006346134.tif 000003
【図３】
0006346134.tif 000004
【図４】
0006346134.tif 000005
【図５】
0006346134.tif 000006
【図６】
0006346134.tif 000007
【図７】
0006346134.tif 000008
【図８】
0006346134.tif 000009
【図９】
0006346134.tif 000010
【図１０】
0006346134.tif 000011
【図１１】
0006346134.tif 000012
【図１２】
0006346134.tif 000013
【図１３】
0006346134.tif 000014